(57)【要約】【課題】廃棄物から複数の種類のリサイクル品を選別しながら、それぞれの重量を測定して、リサイクル品種によって異なるリサイクルのポイント還元率（係数）を考慮しながら、リサイクルに対するポイントを付与可能なリサイクルシステムとリサイクル方法を提供する。【解決手段】リサイクル品種とポイント係数を予め格納しておくデータベース１０と、このリサイクル品種とそのリサイクル品種に付与されたポイント係数を選択するリサイクル品種制御部４と、リサイクルに供される廃棄物の重量を計測する重量計測部６と、選択リサイクル品種に係る廃棄物の想定重量として演算する重量演算部７と、この重量演算部７で演算された前記選択リサイクル品種に係る廃棄物の想定重量にポイント係数を掛けてポイントを演算するポイント演算部９を有する。【選択図】図１
2011095907.tif 000002
【特許請求の範囲】
【請求項１】
リサイクル品種とこのリサイクル品種毎に付与されるポイント係数を予め格納しておくデータベースと、このデータベースに格納されたリサイクル品種の中から１のリサイクル品種とそのリサイクル品種に付与されたポイント係数を選択するリサイクル品種制御部と、リサイクルに供される廃棄物の重量を計測する重量計測部と、前記リサイクル品種制御部で１のリサイクル品種が選択された後，他のリサイクル品種が選択されるまでの前記重量計測部で計測される重量の変化を前記選択リサイクル品種に係る廃棄物の想定重量として演算する重量演算部と、この重量演算部で演算された前記選択リサイクル品種に係る廃棄物の想定重量に前記選択リサイクル品種に付与されるポイント係数を掛けてポイントを演算するポイント演算部と、を有することを特徴とするリサイクルシステム。
【請求項２】
前記ポイント係数は、０又は負値を含むことを特徴とする請求項１記載のリサイクルシステム。
【請求項３】
前記選択リサイクル品種に係る廃棄物の想定重量と前記選択リサイクル品種に付与されるポイント係数を掛けて演算されたポイントを記憶する記憶部を有し、前記ポイント演算部は、前記選択リサイクル品種毎に演算されたポイントを合算したリサイクル品種別合計ポイント及びこのリサイクル品種別合計ポイントを合算した総合計ポイントを演算し、前記記憶部に格納することを特徴とする請求項１又は請求項２に記載のリサイクルシステム。
【請求項４】
前記重量演算部で演算された想定重量と、前記ポイント演算部で演算された前記選択リサイクル品種に係る廃棄物の想定重量と前記ポイント係数を掛けて演算されたポイントと、前記リサイクル品種別合計ポイント又は前記総合計ポイントを表示する表示部を備えることを特徴とする請求項３に記載のリサイクルシステム。
【請求項５】
前記総合計ポイントを前記リサイクルに供する廃棄物の提供者が所有する記録メディアに記録する出力部を有することを特徴とする請求項３又は請求項４に記載のリサイクルシステム。
【請求項６】
リサイクル品種とこのリサイクル品種毎に付与されるポイント係数を予めデータベースに格納しておき、このデータベースに格納されたリサイクル品種の中から１のリサイクル品種とそのリサイクル品種に付与されたポイント係数を選択するリサイクル品種選択工程と、リサイクルに供される廃棄物の重量を計測する重量計測工程と、前記リサイクル品種制御工程で１のリサイクル品種が選択された後，他のリサイクル品種が選択されるまでの前記重量計測工程で計測される重量の変化を前記選択リサイクル品種に係る廃棄物の想定重量として演算する重量演算工程と、この重量演算工程で演算された前記選択リサイクル品種に係る廃棄物の想定重量に前記選択リサイクル品種に付与されるポイント係数を掛けてポイントを演算するポイント演算工程と、前記ポイントを前記廃棄物の提供者が所有する記録メディアに記録する記録工程と、を有することを特徴とするリサイクル方法。
【発明の詳細な説明】
【技術分野】
【０００１】
本発明は、リサイクル廃棄物の重量を計測して、商品や金券等に交換可能なポイントを付与可能なリサイクルシステムに係り、特に多種のリサイクル品種が混在する廃棄物を効率的に分別しながら、ポイントを付与可能なリサイクルシステムとその方法に関する。
【背景技術】
【０００２】
家庭や職場で消費される食品や家電製品、文具、新聞等はその梱包材や包装紙も含めて廃棄物であっても資源として定期的に収集され回収されることが多くなっている。
自治体では、その後の処理のために、それらの廃棄物をその種類によって分別して廃棄するように住民に求めることが当然のようになっている。
しかしながら、その分別が新聞紙や段ボールなどの紙類、プラスチック、空き缶などの金属、ペットボトル、不燃物などの４，５種類の区分けであっても、それぞれを分けて家庭や職場でストックしておくのはその労力やスペースの観点から難しく、しかも費用を支出しなければならない場合も多く環境や資源保護の観点からであったとしても廃棄物の処理やリサイクルが遅々として進展しない原因でもあった。
一方、パソコンに代表される情報家電製品や一般の家電製品においても小型回路や小型素子を搭載することで高性能化され、その回路基板にはいわゆるレアメタルと呼ばれる希少価値の高い金属が含まれることが多く、隠れた資源となることが近年指摘されている。
このような状況下、これまでも様々な廃品回収やリサイクルシステムに関する研究や開発が活発になされており、その成果としての発明や考案が開示されている。
【０００３】
例えば、特許文献１には、「リサイクルシステム」という名称で、廃棄物の種類とその分量を測定可能として、その廃棄物の種類と分量に基づいて、通貨の代わりに使用して購買可能なポイントを付与するリサイクルシステムに関する発明が開示されている。
特許文献１に開示された発明は、測定手段として、蛍光スペクトルによって元素成分を判断して、廃棄物の種類を金属、プラスチック、ガラス、その他のうちのいずれかに特定する蛍光スペクトル分析部を備えることで、廃棄物の種類に基づいてポイントを付与するものである。
このようなリサイクルシステムによれば、蛍光スペクトルで廃棄物の種類を分析することが可能であり、自動的に廃棄物の内容をチェックしてポイントを即座に付与することが可能となる。また、このようにして廃棄物にポイントを付与することで、廃棄物回収に対するインセンティブが明確になり、効率的に廃棄物の回収と処理が可能となる。
【０００４】
次に、特許文献２には、「ゴミ分別回収支援システム」という名称で、商品の購入量とリサイクル回収対象物であるゴミの回収量や回収率に応じてリサイクルポイントを付与するゴミ分別回収支援システムに関する発明が開示されている。
このようなゴミ分別回収支援システムでは、商品の購入量とリサイクル回収対象物であるゴミの回収量や回収率に応じてリサイクルポイントを付与するので、購入店舗とリサイクルを結合させる動機付けをすることが可能であり、回収店舗にリサイクルポイントに対する負担をかけず、また、店舗への安定した集客を可能として、一般消費者に対してリサイクルに対する意識を高める効果が期待できる。
【０００５】
さらに、特許文献３には、「リサイクル品回収システム」という名称で、ＲＦＩＤ(Radio Frequency-Identification：ＲＦＩＤは株式会社サトーの登録商標)をリサイクルが必要な商品に貼付して、そのリサイクルが必要な商品を回収する際に、ＲＦＩＤからその商品に関する価格情報とリサイクル品の分別の種類を示すリサイクル情報を読み出して、そのリサイクル品が投入された回収ボックスの分別の種類とが一致するか否かを判断し、また、価格情報に基づくポイントを算出する発明について開示されている。
このようなリサイクル品回収システムにおいては、回収ボックスに異なる分別の種類のリサイクル品が投入されることを防止することができ、リサイクル品及びＲＦＩＤの回収率を向上させることが可能である。
さらに、ポイントを付与することでリサイクル品の回収率を向上させることもできる。
【先行技術文献】
【特許文献】
【０００６】
【特許文献１】特開２００９−１６９９３７号公報
【特許文献２】特開２００９−１０４４９１号公報
【特許文献３】特開２００６−１６１１９号公報
【発明の概要】
【発明が解決しようとする課題】
【０００７】
しかしながら、上述の従来技術である特許文献１に開示された発明においては、蛍光スペクトルを測定してゴミの成分を金属、プラスチック、ガラス、その他のゴミに分類するとしているが、どのような蛍光スペクトルを測定するのか、どのように蛍光スペクトルが測定されるのかが不明であり、その誤差も不明であるという課題があった。また、蛍光スペクトルによって金属、プラスチック、ガラス、その他のゴミとして分類可能であったとしても、どのような金属、例えば鉄なのかアルミニウムなのかが不明であり、金属の中でも価値の異なる分類をおこなうことができず、不便であるという課題もあった。さらに、蛍光スペクトルを測定する装置を設ける必要があり、ゴミの分類をおこなうことにコストが大きくかかってしまうという課題があった。
【０００８】
特許文献２に開示された発明では、ゴミを回収する際に用いられるゴミ回収端末が、ゴミから回収物情報を認識できるような識別情報を予め商品に付しておく必要があるという課題があった。また、発明の目的を考慮すれば、商品を購入した店舗でゴミを回収するシステムに都合がよいようになっており、これは消費者からすれば購入した店舗を記憶しておき、そこへゴミを持ち込んで回収してもらう必要があり、回収先を不特定の店舗とすることに不都合が生じるという課題があった。
【０００９】
特許文献３に開示された発明では、リサイクル品にも高価なＲＦＩＤを取り付けておく必要があり、リサイクルシステムにコストがかかり過ぎるという課題があった。特に、ＲＦＩＤ自身を資源と考えると、回収率が低下すれば資源の散逸にもなり、リサイクルシステム自体の成立性が危ぶまれるという課題もあった。
【００１０】
本発明はかかる従来の事情に対処してなされたものであり、簡単な構成によって廃棄物から複数の種類のリサイクル品を選別しながら、それぞれの重量を測定して、リサイクル品種によって異なるリサイクルのポイント還元率（係数）を考慮しながら、リサイクルに対するポイントを付与可能なリサイクルシステムとリサイクル方法を提供することを目的とする。
【課題を解決するための手段】
【００１１】
上記目的を達成するため、請求項１記載の発明であるリサイクルシステムは、リサイクル品種とこのリサイクル品種毎に付与されるポイント係数を予め格納しておくデータベースと、このデータベースに格納されたリサイクル品種の中から１のリサイクル品種とそのリサイクル品種に付与されたポイント係数を選択するリサイクル品種制御部と、リサイクルに供される廃棄物の重量を計測する重量計測部と、前記リサイクル品種制御部で１のリサイクル品種が選択された後，他のリサイクル品種が選択されるまでの前記重量計測部で計測される重量の変化を前記選択リサイクル品種に係る廃棄物の想定重量として演算する重量演算部と、この重量演算部で演算された前記選択リサイクル品種に係る廃棄物の想定重量に前記選択リサイクル品種に付与されるポイント係数を掛けてポイントを演算するポイント演算部と、を有することを特徴とするものである。
このような構造のリサイクルシステムにおいては、重量計測部において計測される廃棄物の重量変化が、リサイクル品種制御部において選択されたリサイクル品種に係る廃棄物の想定重量として、ポイント演算部では、これに選択リサイクル品種に係るポイント係数をかけてポイントを演算するという作用を有する。
また、リサイクル品種制御部で選択されるリサイクル品種を順次変更しながら、廃棄物からそのリサイクル品種を抜き取ることで、重量演算部とポイント演算部は、複数のリサイクル品種に係る廃棄物の重量とポイントをそれぞれ演算する作用を有する。
【００１２】
また、請求項２記載の発明は、請求項１記載のリサイクルシステムにおいて、前記ポイント係数は、０又は負値を含むことを特徴とするものである。
このような構造のリサイクルシステムにおいては、ポイント演算部はポイント係数が０の場合には、ポイントを０として、また、ポイント係数が負値の場合にはポイントをマイナスとして演算するという作用を有する。
【００１３】
請求項３記載の発明は、請求項１又は請求項２に記載のリサイクルシステムにおいて、前記選択リサイクル品種に係る廃棄物の想定重量と前記選択リサイクル品種に付与されるポイント係数を掛けて演算されたポイントを記憶する記憶部を有し、前記ポイント演算部は、前記選択リサイクル品種毎に演算されたポイントを合算したリサイクル品種別合計ポイント及びこのリサイクル品種別合計ポイントを合算した総合計ポイントを演算し、前記記憶部に格納することを特徴とするものである。
このような構造のリサイクルシステムにおいては、記憶部は選択リサイクル品種に係る廃棄物の想定重量と選択リサイクル品種に付与されるポイント係数を掛けて演算されたポイントを記憶する作用を有し、ポイント演算部はリサイクル品種別合計ポイント及びそれを合算した総合計ポイントを演算するという作用を有する。
【００１４】
請求項４記載の発明は、請求項３に記載のリサイクルシステムにおいて、前記重量演算部で演算された想定重量と、前記ポイント演算部で演算された前記選択リサイクル品種に係る廃棄物の想定重量と前記ポイント係数を掛けて演算されたポイントと、前記リサイクル品種別合計ポイント又は前記総合計ポイントを表示する表示部を備えることを特徴とするものである。
このようなリサイクルシステムにおいては、表示部を備えて、この表示部が重量演算部で演算された想定重量、ポイント演算部で演算されたリサイクル品種別合計ポイント又は前記総合計ポイントを表示するという作用を有する。
【００１５】
請求項５記載の発明は、請求項３又は請求項４に記載のリサイクルシステムにおいて、前記総合計ポイントを前記リサイクルに供する廃棄物の提供者が所有する記録メディアに記録する出力部を有するものである。
このようなリサイクルシステムによれば、出力部が総合計ポイントを記録メディアに対して記録する作用を有する。
【００１６】
請求項６記載の発明であるリサイクル方法は、リサイクル品種とこのリサイクル品種毎に付与されるポイント係数を予めデータベースに格納しておき、このデータベースに格納されたリサイクル品種の中から１のリサイクル品種とそのリサイクル品種に付与されたポイント係数を選択するリサイクル品種選択工程と、リサイクルに供される廃棄物の重量を計測する重量計測工程と、前記リサイクル品種制御工程で１のリサイクル品種が選択された後，他のリサイクル品種が選択されるまでの前記重量計測工程で計測される重量の変化を前記選択リサイクル品種に係る廃棄物の想定重量として演算する重量演算工程と、この重量演算工程で演算された前記選択リサイクル品種に係る廃棄物の想定重量に前記選択リサイクル品種に付与されるポイント係数を掛けてポイントを演算するポイント演算工程と、前記ポイントを前記廃棄物の提供者が所有する記録メディアに記録する記録工程とを有するものである。
このようなリサイクル方法は、請求項１に記載されたリサイクルシステムを方法として捉えた発明であり、重量計測工程において計測される廃棄物の重量変化が、リサイクル品種制御工程において選択されたリサイクル品種に係る廃棄物の想定重量として、ポイント演算工程では、選択リサイクル品種に係る廃棄物の想定重量にポイント係数をかけてポイントを演算するという作用を有する。
また、リサイクル品種制御工程で選択されるリサイクル品種を順次変更しながら、廃棄物からそのリサイクル品種を抜き取ることで、重量演算工程とポイント演算工程は、複数のリサイクル品種に係る廃棄物の重量とポイントをそれぞれ演算する作用を有する。
【発明の効果】
【００１７】
以上説明したように、本発明の請求項１記載のリサイクルシステムにおいては、リサイクル品種制御部で選択されるリサイクル品種を順次変更しながら、廃棄物からそのリサイクル品種を抜き取ることで、それぞれのリサイクル品種に係る廃棄物に関する重量及びポイントを演算可能であり、また、その過程で廃棄物を全体からそれぞれのリサイクル品種に分別することができるという効果を有する。
【００１８】
本発明の請求項２記載のリサイクルシステムにおいては、ポイント演算部が演算したポイントが０の場合には、ポイント換算がないということで、そのリサイクル品種の廃棄物に金銭的な価値がない場合に、あてはめることが可能である。例えば、ガラスなどの場合、価値がないのでこれに対してポイントを付与することにリサイクル事業者などは抵抗がある。この場合にポイントを０とすることで、ガラスの重量については無視してポイントを付与しないようにすることが可能である。さらに、金銭的な価値がないばかりか、そのリサイクル品種の廃棄物を処理するコストが係る場合があり、このような場合にはポイント係数に負値を採用することでそのコストをポイントに換算して廃棄物を持ち込む者に対して要求することができる。
【００１９】
本発明の請求項３記載のリサイクルシステムにおいては、記憶部が選択リサイクル品種に係る廃棄物の想定重量と選択リサイクル品種に付与されるポイント係数を掛けて演算されたポイントを記憶することができ、ポイント演算部はリサイクル品種別の合計ポイント及びそれらを合算した総合計ポイントを演算することができる。
【００２０】
本発明の請求項４記載のリサイクルシステムによれば、重量演算部で演算された想定重量、ポイント演算部で演算されたリサイクル品種別合計ポイント又は前記総合計ポイントを表示することが可能である。
【００２１】
本発明の請求項５記載のリサイクルシステムによれば、総合計ポイントを記録メディアに記録することができ、この記録メディアを用いて取得したポイントの確認やそのポイントを使用することが可能である。
【００２２】
本発明の請求項６記載のリサイクル方法によれば、請求項１に記載の発明と同様に、リサイクル品種制御工程で選択されるリサイクル品種を順次変更しながら、廃棄物からそのリサイクル品種を抜き取ることで、それぞれのリサイクル品種に係る廃棄物に関する重量及びポイントを演算可能であり、また、その過程で廃棄物を全体からそれぞれのリサイクル品種に分別することができるという効果を有する。総合計ポイントを記録メディアに記録することができ、この記録メディアを用いて取得したポイントの確認やそのポイントを使用することが可能である。
【図面の簡単な説明】
【００２３】
【図１】本発明の実施の形態に係るリサイクルシステムのシステム構成図である。
【図２】本発明の実施の形態に係るリサイクルシステムの概念図である。
【図３】本発明の実施の形態に係るリサイクルシステムのリサイクル品種データ表の概念図である。
【図４】本実施の形態に係るリサイクルシステムの操作パネルの外形図である。
【図５】本実施の形態に係るリサイクルシステムのモード選択部の機能を説明するためのフローチャートである。
【図６】本実施の形態に係るリサイクルシステムのモード選択部によってモード選択を行う際のディスプレイの表示を示す概念図である。
【図７】本実施の形態に係るリサイクルシステムのリサイクル品種データ確認モードのフローチャートである。
【図８】リサイクル品種データ確認モード時のディスプレイの表示を示す概念図である。
【図９】本実施の形態に係るリサイクルシステムのリサイクル品種入力モードのフローチャートである。
【図１０】リサイクル品種入力モード時のディスプレイの表示を示す概念図である。
【図１１】本実施の形態に係るリサイクルシステムのポイント係数修正モードのフローチャートである。
【図１２】ポイント係数修正モード時のディスプレイの表示を示す概念図である。
【図１３】本実施の形態に係るリサイクルシステムの重量計測モードのフローチャートである。
【図１４】重量計測モード時のディスプレイの表示を示す概念図である。
【発明を実施するための形態】
【００２４】
本発明の最良の実施の形態に係るリサイクルシステム及びリサイクル方法について図１乃至図１４を用いて説明する。本実施の形態に係るリサイクルシステム及びリサイクル方法の説明は、全体的にリサイクルシステムとしての構成を説明するが、そのリサイクルシステムの作動をフローチャートにして説明するため、実質的にはリサイクルシステムとリサイクル方法を同時に説明するものである。
図１は本発明の実施の形態に係るリサイクルシステムのシステム構成図であり、図２は本発明の実施の形態に係るリサイクルシステムの概念図である。図３は、本発明の実施の形態に係るリサイクルシステムのリサイクル品種データ表の概念図である。
【００２５】
図１において、リサイクルシステム１は、その作動モードの選択を行うモード選択部２、記憶部１０に格納されるデータやリサイクルシステム１を作動させる際に必要なデータを入力するための入力部３、廃棄物に含まれるリサイクル品種を選択したり、そのリサイクル品種に対応するポイント係数を選択するためのリサイクル品種制御部４を備えている。
また、重量計測部６、重量演算部７、仮記憶部８及びポイント演算部９からなる演算部５を備えており、モードデータ１３、ビンデータ１４、リサイクル品種データ１５、ポイント係数データ１６、ポイントデータ１７及び計測重量データ１８を格納する記憶部１０を有しており、入力されるデータや演算部５によって演算された結果について表示を行うための表示部１２、さらには、外部装置やシステム等へ入力データや出力データを伝送するための出力部１１が設けられている。
【００２６】
本実施の形態に係るリサイクルシステム１は、図２に示されるとおり、ローラー２３を備えた台秤り形状であり、上面に廃棄物計量ラック２１を載置して、この廃棄物計量ラック２１の中に複数のリサイクル品種を含む廃棄物の重量を計測するための重量計測部６が設けられている。台状の本体部の内部にはリサイクル品種制御部４、演算部５のうち重量計測部６以外の重量演算部７、仮記憶部８及びポイント演算部９が設けられている。台状の本体部から垂直に延設されるのは、このリサイクルシステム１を作動させる際の操作パネル３０である。この操作パネル３０の部分には、モード選択部２、記憶部１０が設けられており、この操作パネル３０はタッチパネル方式を採用しており、入力部３や表示部１２としても機能するものである。
リサイクルに供する廃棄物の提供者は、廃棄物計量ラック２１の中に複数種類のリサイクル品種を混合させたまま廃棄物を投入することが可能である。その中から、リサイクル事業者はそれぞれのリサイクル品種に係る廃棄物を取り出して新聞紙・雑誌であれば廃棄物リサイクル用バケット２２ａへ、缶ビールの空き缶のうちアルミニウム製のものであれば廃棄物リサイクル用バケット２２ｂへ、ペットボトルであれば廃棄物リサイクル用バケット２２ｃへというように分別しながら投入していく。これらのリサイクル品種は一例であり、これらの他にも廃棄物リサイクル用バケットを用意しておくとよい。このようなリサイクルシステム１の使用方法については、後述する。
なお、図２に示されるリサイクルシステム１の外形及び各構成要素の配置は一例であり、必ずしもそのように外形あるいは配置される必要はなく、機能が備わっていればよい。
【００２７】
図１に戻ってリサイクルシステム１の説明を行う。
入力部３は、まず、記憶部１０に予め格納されるモードデータ１３やビンデータ１４、リサイクル品種データ１５やポイント係数データ１６を入力するために用いられる。
モードデータ１３とは、図５及び図６を参照しながら後述するが、リサイクル品種データ確認モード、リサイクル品種入力モード、ポイント係数修正モード及び重量計測モードの４種類のモードに関するデータを意味している。これらの４種類のモードが選択されると、それぞれのモードに従った種々のデータの入力や演算が実行される。これらのモードに沿ったデータ入力及び演算の実行については、図５以降を参照しながら後で説明する。
ビンデータ１４とは、例えば図３に示されるようなリサイクル品種データ表２４のようなデータを意味する。具体的には、リサイクル品種列２６、ポイント係数列２７、計測重量列２８及びポイント数列２９などのデータをそれぞれ組み合わせるためのデータ構成に関するデータであり、それぞれの対応についてリサイクル品種番号列２５に示されるような序数を対応させているのが特徴である。
この図３に示されるリサイクル品種データ表２４の構成を示すものがビンデータ１４であり、リサイクル品種列２６に示されるデータがリサイクル品種データ１５であり、ポイント係数列２７に示されるデータがポイント係数データ１６となる。また、計測重量列２８やポイント数列２９に示されるデータは予め格納されるデータではなく、計測重量列２８では、演算部５の重量計測部６によって計測される選択リサイクル品種に係る廃棄物の重量に関する計測重量データ１８が示され、ポイント数列２９では、演算部５のポイント演算部９によって演算される選択リサイクル品種に係る廃棄物の重量に対応するポイントデータ１７が示されることになる。
従って、ビンデータ１４は、これらのデータ列に示されるデータを関連付けた状態のデータであり、例えば、リサイクル品種番号列２５のＮｏ．１というビン番号には、リサイクル品種として紙（上質紙）が対応し、そのポイント係数は２０であり、そのリサイクル品種に関する廃棄物の重量計測が実行されるとその重さが計測重量列２８のＮｏ．１に入力され、それに伴ってポイントが演算されると、ポイント数列２９のＮｏ．１に入力される、リサイクル品種としての紙（上質紙）にそれぞれが対応することになるが、その組み合わせの構成をデータ化しているのがビンデータ１４である。
【００２８】
リサイクル品種データ１５は、これまでに説明したとおり、図３のリサイクル品種データ表２４のリサイクル品種列２６に示される廃棄物のリサイクル品種に関係するデータであり、ビンデータ１４によって、図３に示されるようなリサイクル品種列２６に配列されている。リサイクル品種データ１５は、予め廃棄物のリサイクル事業に際して入力されて、記憶部１０に格納されるものであり、リサイクル事業を行う地域や回収場所などを考慮して入力しておくとよい。また、リサイクル事業の内容によっては、細分化を行い、プラスチックや家電製品、コンピュータの内容について詳細に分類してもよい。
ポイント係数データ１６も説明したとおり、図３のリサイクル品種データ表２４のポイント係数列２７に示される廃棄物のリサイクル品種に関係し、その重量に対してどの程度のポイントを付与するかというポイント換算データであり、ビンデータ１４によって、図３に示されるようなポイント係数列２７に配列されている。ポイント係数データ１６も予め入力されて記憶部１０に格納されるものである。
このポイント係数データ１６は、特に固定されるものではなく、リサイクル事業を行う事業者や付与されたポイントを使うことが可能な店舗などの意向、リサイクルコストやリサイクル品種毎の資源としての再利用価値等によって変動するものである。また、例えば、リサイクル品種データ表２４のＮｏ．８に示されるリサイクル品種であるガラスのポイント係数は０であるが、これはポイントが付かないことを意味しており、回収に要するコストがそのまま回収されるリサイクル品種の価値と一致してポイントを還元する価値まではないことを意味している。さらに、Ｎｏ．１４にはリサイクル品種として陶磁器が示されているが、このポイント係数は−１００である。この場合は、陶磁器を回収するコストが回収される陶磁器の価値を大幅に下回っていることを意味している。従って、利用者は陶磁器に関する廃棄物を多く出せば出すほどポイントを失うことになる。これは、陶磁器を処理するために要するリサイクルコストを事業者が負担しなければならず、その負担を廃棄物提供者に対して転嫁するためである。ポイント係数データ１６は、このようにリサイクル品種毎にその回収コストと廃棄物の価値とのバランスを考慮して設定しておくことが可能である。本実施の形態に係るリサイクルシステム１では、ポイント係数データ１６として０や負値を含めることで、リサイクル可能な資源に対する還元とリサイクルできないような廃棄物処理に対する負担転嫁の同時実施が可能となる点が大きな特徴である。
【００２９】
次に、モード選択部２について説明するが、その前に図４を参照しながら本実施の形態に係るリサイクルシステム１の操作パネル３０について説明する。図４は、本実施の形態に係るリサイクルシステム１の操作パネル３０の外形図である。
図４において、操作パネル３０は、タッチパネル式のディスプレイ３１を備えており、ディスプレイ３１に表示されるタッチボタンを手で触れることで入力が可能である。
操作パネル３０の右側には、リサイクルシステム１の作動モードを選択するためのモードボタン３２、ディスプレイ３１に表示される選択肢を指定するための選択ボタン３３、指定された選択肢を決定入力するための入力ボタン３４、前動作で入力した情報を消去して次の入力をするためのクリアボタン３５が設けられている。符号の３６は、計測完了ランプ３６であり、演算部５の重量計測部６で廃棄物の重量が計測されて数値が確定した際に点灯又は点滅するランプである。
さらに、テンキー３７を備えており、ディスプレイ３１に表示される入力ウインドウに数値を入力することが可能である。また、符号３８は起動スイッチ３８であり、符号３９はカードスロット３９である。このカードスロット３９は、磁気カードや磁気ディスクなどの記録メディアを挿入して、リサイクルシステム１によって付与されるポイントを書き込むためのものである。
【００３０】
以下、図４の他、図５及び図６を参照しながら、モード選択部２の機能について説明する。図５は本実施の形態に係るリサイクルシステムのモード選択部の機能を説明するためのフローチャートであり、図６はモード選択部によってモード選択を行う際のディスプレイの表示を示す概念図である。
リサイクルシステム１を起動させた後に、最初に作動モードを選択する必要がある。この作動モードを選択するために、図４のモードボタン３２を押すと、図６に示されるような画面がディスプレイ３１に表示される。作動モードは図５及び図６に示されるとおり、リサイクル品種データ確認モード４０ａ、リサイクル品種入力モード４０ｂ、ポイント係数修正モード４０ｃ、重量計測モード４０ｄの４種類がモード表示として表示される。
これらのモード選択の動作フローを示したのが図５である。ステップＳ１でモード選択を行うためのモードボタン３２を押し、図６に示される画面で前述のそれぞれのモードのうち、いずれかを選択すると、ステップＳ２−１としてリサイクル品種データ確認モード，ステップＳ２−２としてリサイクル品種入力モード，ステップＳ２−３としてポイント係数修正モード，ステップＳ２−４として重量計測モードにそれぞれ進んでいく。
【００３１】
図７及び図８を参照しながら、ステップＳ２−１として進んだ場合のリサイクル品種データ確認モードについて説明する。図７は本実施の形態に係るリサイクルシステムのリサイクル品種データ確認モードのフローチャートであり、図８はリサイクル品種データ確認モード時のディスプレイの表示を示す概念図である。
図５においてステップＳ２−１としてリサイクル品種データ確認モードを選択した場合には、符号Ａに進み、図７に示されるようにステップＳ３−１として、リサイクル品種データの読み出しを行う。この動作は、図１のシステム構成図におけるモード選択部２が実行する。モード選択部２は、記憶部１０に記憶されているモードデータ１３、ビンデータ１４、リサイクル品種データ１５及びポイント係数データ１６にアクセスして、モードデータ１３からリサイクル品種データ確認モード表示４１を抽出し、ビンデータ１４、リサイクル品種データ１５及びポイント係数データ１６からリサイクル品種ポイント係数データ表４２に示されるようなデータとして抽出し、これらをディスプレイ３１に表示する（ステップＳ４−１）。
リサイクル事業者、すなわちリサイクルシステム１を作動している者は、この表示を見て、使用時に想定される廃棄物に含まれるそれぞれのリサイクル品種が含まれているか、また、それぞれのリサイクル品種に対するポイント係数は妥当であるかを確認することができる。
【００３２】
次に、図９及び図１０を参照しながら、ステップＳ２−２として進んだ場合のリサイクル品種入力モードについて説明する。図９は本実施の形態に係るリサイクルシステムのリサイクル品種入力モードのフローチャートであり、図１０はリサイクル品種入力モード時のディスプレイの表示を示す概念図である。
図５においてステップＳ２−２としてリサイクル品種入力モードを選択した場合には、符号Ｂに進み、図９に示されるようにステップＳ３−２としてビンデータ１４の読み出しを行う。この動作もモード選択部２が行う。モード選択部２は、記憶部１０に記憶されているモードデータ１３、ビンデータ１４にアクセスして、モードデータ１３からリサイクル品種入力モード表示４３を抽出し、ビンデータ１４から、リサイクル品種Ｎｏ．に関する表示窓４４、リサイクル品種に関する表示窓４５、ポイント係数に関する表示窓４６、ひらがな入力キー４７及び変換キー４８に関するデータを抽出し、これらをディスプレイ３１に表示する（ステップＳ４−２）。
リサイクル品種入力モードでは、デフォルトに含まれていないようなリサイクル品種を新たに追加する場合やリサイクル対象となる廃棄物が特別なものを含む場合に対応可能なように、ユーザー（リサイクル事業者）が個別に新たなリサイクル品種を入力するためのものである。
ステップＳ４−２では、空きリサイクル品種Ｎｏ.が自動的に表示窓４４に表示される。そこで、その空きリサイクル品種Ｎｏ．に対応するように追加するリサイクル品種を表示窓４５に入力する（ステップＳ５−２）。その入力の際には、ひらがな入力キー４７を用いる。本実施の形態においてはひらがなの入力キーを用いたが、カタカナ入力やローマ字入力用の入力キーを用いてもよいことは言うまでもない。
ひらがな入力キー４７を用いながら、漢字などへの変換は変換キー４８を用いる。表示窓４５にリサイクル品種を入力した後は、表示窓４６にそのリサイクル品種に対応するポイント係数を入力する（ステップＳ６−２）。最終的なリサイクル品種として入力の際には入力ボタン３４を押す。
このポイント係数は、廃棄物の重量１ｋｇ当たりのポイント数となるので、数字で入力する必要があるので、この場合には、テンキー３７を利用する。
最終的なポイント係数として確定させる場合には、入力ボタン３４を押す。
これらの操作によって新たに追加するリサイクル品種の名称とポイント係数がそれぞれ記憶部１０のリサイクル品種データ１５とポイント係数データ１６に格納される。また、リサイクル品種Ｎｏ．との関係は、ビンデータ１４として記憶部１０に格納されることになる。
ポイント係数としてテンキー３７を用いて入力するようにしたが、特にテンキー３７を用いることなく、たとえばポイント係数データ１６の一部として、係数候補を含めておいて、これを表示窓４６に表示させて選択、確定するようにしてもよい。すなわち、負値の−１００から０、さらに正値の１００まで０．１刻みあるいは０．５あるいは１刻みで数値を予め設定しておき、これらの数値を表示させて、その中から選択ボタン３３及び入力ボタン３４を使用して選択、決定してポイント係数として適用させるようにしてもよい。
【００３３】
次に、図１１及び図１２を参照しながら、ステップＳ２−３として進んだ場合のポイント係数修正モードについて説明する。図１１は本実施の形態に係るリサイクルシステムのポイント係数修正モードのフローチャートであり、図１２はポイント係数修正モード時のディスプレイの表示を示す概念図である。
図５においてステップＳ２−３としてポイント係数修正モードを選択した場合には、符号Ｃに進み、図１１に示されるようにステップＳ３−３としてリサイクル品種データ１５の読み出しを行う。この動作もモード選択部２が行う。モード選択部２は、記憶部１０に記憶されているモードデータ１３、ビンデータ１４、リサイクル品種データ１５及びポイント係数データ１６にアクセスして、モードデータ１３からポイント係数修正モード表示５０を抽出し、ビンデータ１４から、リサイクル品種Ｎｏ．に関する表示窓４４、リサイクル品種に関する表示窓４５及びポイント係数に関する表示窓４６に関するデータを抽出し、これらをディスプレイ３１に表示する。また、その際にリサイクル品種Ｎｏ．の表示窓４４にポイント係数を修正したいと考える番号を、テンキー３７を用いて入力し、入力ボタン３４で確定させる。
リサイクル品種Ｎｏ．が確定されると、モード選択部２はリサイクル品種データ１５及びポイント係数データ１６から、そのリサイクル品種Ｎｏ．に対応する現在のリサイクル品種データ１５とポイント係数データ１６をそれぞれ表示窓４５，４６に表示する。
これらが表示された後に、ステップＳ４−３として、ポイント係数の修正・入力を実行する。この修正・入力は、表示窓４６にテンキー３７を用いてポイント係数を直接修正し、その後に入力ボタン３４を用いて確定することで書き換えられる。
このポイント係数修正モードは、例えばリサイクル事業において当該リサイクル品種の価値が変動したり、あるいは当該リサイクル品種に係る廃棄物の処理コストが変動したりすることで、それまでのポイント係数を維持できなくなった場合に自由にユーザー（リサイクル事業者）が変更可能である。
【００３４】
以上説明したとおり、本実施の形態に係るリサイクルシステム１の利用では、実際に廃棄物の重量を測定してポイント換算してそれを廃棄物の提供者に対して付与するまでにいくつか作動モードを備えて、設定や修正を行うことが可能であり、より柔軟なリサイクル事業を展開することが可能である。
【００３５】
以上のことを踏まえて、次に、図１３及び図１４を参照しながら、ユーザー（リサイクル事業者）が、本リサイクルシステム１を用いて廃棄物を回収しながらリサイクル品種毎に分別可能に使用する場合について説明する。
図１３は、本実施の形態に係るリサイクルシステムの重量計測モードのフローチャートであり、図１４は重量計測モード時のディスプレイの表示を示す概念図である。
図５においてステップＳ２−４として重量計測モードを選択した場合には、符号Ｄに進み、図１３に示されるようにステップＳ３−４としてリサイクル品を重量計測部６に載置する。この状態は、図２に示される廃棄物計量ラック２１の中に、リサイクル品が収容されている状態である。ステップＳ３−４では、図１４に示されるような表示がディスプレイ３１になされる。これは、モード選択部２が、記憶部１０に記憶されているモードデータ１３、ビンデータ１４、リサイクル品種データ１５及びポイント係数データ１６にアクセスして、モードデータ１３から重量計数モード表示５１及びリサイクル品種表示タッチパネル５８に関するデータを抽出し、ビンデータ１４、リサイクル品種データ１５及びポイント係数データ１６から、リサイクル品種表示窓５２及びポイント係数表示窓５３に関するデータとその中に示されるデータを抽出し、これらをディスプレイ３１に表示する。
本実施の形態に係る重量計測は、減算式で実行されるため、重量計測前に廃棄物計量ラック２１の重量を予め測定する必要がなく、この廃棄物計量ラック２１は例えばリサイクル事業者ではなくリサイクル品の提供者によって準備されたラックでもよい。
【００３６】
リサイクルシステム１は、次にステップＳ４−４としてリサイクル品種の選択を実行する。これは図１４のディスプレイ３１にリサイクル品種表示タッチパネル５８として表示されるパネルに使用者が手で触れることで選択されるが、システム上は、図１に示されるリサイクル品種制御部４によって実行される。
リサイクル品種表示タッチパネル５８とリサイクル品種制御部４を用いて入力されたリサイクル品種は、クリアボタン３５が押されて次に新たなリサイクル品種の入力があるまで、固定されるものである。あるいは、クリアボタン３５を備えていなくとも、他のリサイクル品種の入力があるまで固定されるようにしておいてもよい。
リサイクル品種が決定されると、リサイクルシステム１は廃棄物計量ラック２１から当該選択リサイクル品種に係る廃棄物の取り出しを行う（ステップＳ５−４）。ユーザーは、リサイクル品種が決定された後に、そのリサイクル品種に該当する廃棄物を廃棄物計量ラック２１の中から探して、それを廃棄物計量ラック２１から取り出して、予め分別用に設けられた廃棄物リサイクル用バケット（図２参照）に収納していく。もちろん、当該リサイクル品種に対応した廃棄物リサイクル用バケットに収納していくのである。
【００３７】
リサイクルシステム１は、廃棄物計量ラック２１から取り出されるたびに、重量計測部６で計測している重量が減っていくため、その重量の差分を取ることで、その取りだされた選択リサイクル品種に係る廃棄物の重量を測定することが可能である（ステップＳ６−４）。詳細に説明すれば、リサイクル品種がステップS４−４で選択された時点の廃棄物を含む廃棄物計量ラック２１の重量を仮記憶部８において記憶しておき、選択リサイクル品種に係る廃棄物が廃棄物計量ラック２１から取り出される度に重量が減り、その度にその差分が重量であると演算されるのである。
重量の差分による重量計測は、演算部５の重量演算部７が実行する。この重量演算部７では、減算によって重量を測定するが、その際に、多少リサイクルシステム１の本体部で揺れが生じることもあり、減算によって測定された重量の振れが一定の幅内に収まると、重量演算部７は計測完了ランプ３６を点灯又は点滅させる。
従って、ユーザーはその計測完了ランプ３６の点灯又は点滅を待って、次の廃棄物を廃棄物計量ラック２１から取り出すことができ、重量測定の精度を維持することが可能である。また、減算式であるため、少しずつでも廃棄物計量ラック２１から選択リサイクル品種に係る廃棄物を取り出すことができ、便利である。
【００３８】
ステップＳ７−４では、ポイント演算を行う。これは、演算部５のポイント演算部９が実行するが、ステップＳ６−４で測定された選択リサイクル品種に係る廃棄物の重量値に、その選択リサイクル品種に係るポイント係数を記憶部１０から読み出して、掛け算を行ってポイントを演算するものである。
ステップＳ７−４のポイント演算のタイミングは、重量演算部７によって重量が演算された時点で自動的に実行されてもよいし、時間遅れがあってポイントを演算するようにしてもよい。本実施の形態においては、計測完了ランプ３６が点灯又は点滅した時点で、重量演算部７は重量を演算し、それと同時にポイント演算部９でポイントを演算するようにしているが、そのようなタイミングに限定するものではない。
選択リサイクル品種に対するポイントが演算されると、その結果を重量演算部７及びポイント演算部９はそれぞれ仮記憶部８に格納する（ステップＳ８−４）。その際にはリサイクルシステム１に格納を促すために入力ボタン３４を押す。リサイクルシステム１は入力ボタン３４が押されると、その選択リサイクル品種に係る廃棄物の重量とポイントを仮記憶部８に格納する。
本実施の形態においては、選択リサイクル品種に係る廃棄物の重量を測定し、その後にポイントを演算してから仮記憶部８に仮記憶させているが、たとえば、重量演算部７が演算した重量を計測完了ランプ３６の点灯又は点滅のタイミングで仮記憶部８に格納しておき、これをポイント演算部９が読み出して記憶部１０から読み出したポイント係数を掛け算して当該選択リサイクル品種に係る廃棄物のポイントを演算してもよい。
【００３９】
次に、ステップＳ９−４では廃棄物計量ラック２１に含まれるリサイクル品種がまだ存在するか否かを確認するステップである。このステップＳ９−４はユーザーによって実行される部分であり、リサイクルシステム１には直接無関係である。
ユーザーは、廃棄物計量ラック２１の中を見ながら、残っている廃棄物があるかどうかを確認し、まだある場合には、ステップＳ４−４に戻る。すなわち、別のリサイクル品種を選択するのである。リサイクルシステム１は、再度リサイクル品種の入力を受ける。その際には再びリサイクル品種表示タッチパネル５８及びリサイクル品種制御部４を用いて入力する。また、その前に先の選択リサイクル品種に関する選択を解除する意味で、クリアボタン３５を押してもよい。
これらのステップＳ４−４からステップＳ９−４を廃棄物計量ラック２１の中にリサイクル品種に係る廃棄物がなくなるまで実行することになる。
従って、例えば、同じリサイクル品種に係る廃棄物を２度に亘って重量計測してもよいし、それ以上の回数に分けて計測してポイント演算してもよい。このように減算式で重量を測定してポイントを付与することで、廃棄物に含まれるリサイクル品種を取り出す際には、その順序や同じリサイクル品種を取り出す際の回数は考慮することなく、重量計測とポイント演算が可能となる。従って、廃棄物計量ラック２１の中から、目についたリサイクル品種を設定しさえすれば、そのリサイクル品種を容易に廃棄物計量ラック２１から取り出すことが可能であり、廃棄物計量ラック２１から取り出し易いリサイクル品種から順次設定することで、効率的にリサイクルに係る廃棄物の分別が可能となるのである。
【００４０】
廃棄物計量ラック２１の中からリサイクル品種がなくなったと判断された場合には、ユーザーは入力ボタン３４を２度押しする。これがリサイクルシステム１における重量計測モードの終了のための信号となる。この信号の入力を受けると、すべてのリサイクル品種の重量測定及びポイント演算が終了したものと判断して、重量演算部７及びポイント演算部９は、仮記憶部８に格納されたリサイクル品種毎の計測重量及びポイントを読み出して、記憶部１０の計測重量データ１８及びポイントデータ１７として格納する（ステップＳ１０−４、ステップＳ１１−４）。その際には、同じリサイクル品種毎に仮記憶部８に格納された計測重量及びポイントを合計し（ステップＳ１０−４）、さらに、ポイントについては、各リサイクル品種毎のポイントをさらに総合計して、計測重量データ１８あるいはポイントデータ１７として記憶部１０に格納する（ステップＳ１１−４）。
図１４に示されるとおり、ディスプレイ３１では、ステップＳ６−４の際の計測重量が計測重量表示窓５４に表示される。これは、重量演算部７からこの計測重量に関するデータを表示部１２に送信して表示されるものである。また、ステップＳ７−４の際のポイントはポイント表示窓５５に表示されるが、これはポイント演算部９からポイントに関するデータが表示部１２に送信されるためである。
さらに、ステップＳ１１−４においては、ポイント演算部９で演算される同じリサイクル品種毎のポイントの合計のうち、リサイクル品種表示窓５２に表示されているリサイクル品種に対応するポイントの合計が計測重量表示窓５６に表示される。また、すべてのリサイクル品種に関するポイントの総合計が合計ポイント表示窓５７に表示される。これらは、ポイント演算部９から演算結果が表示部１２に送信されることで実行される。
なお、計測重量表示窓５６にはリサイクル品種表示窓５２に表示されているリサイクル品種に対応するポイントの合計が表示されるが、その表示をステップＳ７−４において実行することも考えられる。リサイクル品種毎のポイント合計は本実施の形態においてはステップＳ１１−４で実行することにしているが、これをステップＳ７−４で実行するようにするとよい。同様にステップＳ１０−４において実行されているリサイクル品種毎の計測重量の合計も同様である。その際には、仮記憶部８においてそれらの合計を格納するようにしてもよいし、逐次、合計値を記憶部１０に格納するようにしてもよい。
【００４１】
以上説明したように実行される重量計測モードが完了すると、廃棄物計量ラック２１に収容されていた廃棄物のポイント換算がすべて終了しているので、記録メディア２０をカードスロット３９に挿入する。記録メディア読取・書込部１９は、まず挿入された記録メディア２０に記録されているそれまでのポイントを読み取り、その現在ポイントに対して、ポイント演算部９によって演算されたポイントの総合計を加算して記録メディア２０に書き込む。その際に、記録メディア２０の表面に、加算されて書き込まれたポイント及び今回新たに加算されたポイントを印字するようにしてもよい。
あるいは、記録メディア２０や記録メディア読取・書込部１９を用いることなく、出力部１１から外部の装置に対して計測重量やポイントに関するデータを転送してもよい。たとえば、携帯電話やパーソナルコンピュータなどにデータ転送するような場合が考えられる。
記録メディアに書き込まれたポイントは、たとえばリサイクル業者が提携するスーパーマーケットやコンビニエンスストアなどで使用可能とすれば、それらの店舗を利用する消費者などが自宅などに保管している廃棄物を持ち寄って、廃棄物をポイントに換算するようになるため、リサイクル業者は、自ら廃棄物を回収して回る必要がなく、例えば、スーパーマーケットの駐車場の隅などで、本実施の形態に係るリサイクルシステム１を持ち込み、消費者が持参する廃棄物を分別回収すれば、効率的に資源を回収することができると同時に、消費者はポイントを集めて買い物を楽しむことが可能であり、店舗側はエコロジーに感度の高い企業という名声を得ることが可能であると同時に顧客の誘い込みなどマーケティング戦略としても活用することが可能である。
【産業上の利用可能性】
【００４２】
以上説明したように、請求項１乃至請求項６に記載された発明は、リサイクル事業におけるリサイクル品種に係る廃棄物の重量計測及びその計測重量に基づくポイント付与サービスに適用可能である。
【符号の説明】
【００４３】
１…リサイクルシステム  ２…モード選択部  ３…入力部  ４…リサイクル品種制御部  ５…演算部  ６…重量計測部  ７…重量演算部  ８…仮記憶部  ９…ポイント演算部  １０…記憶部  １１…出力部  １２…表示部  １３…モードデータ  １４…ビンデータ  １５…リサイクル品種データ  １６…ポイント係数データ  １７…ポイントデータ  １８…計測重量データ  １９…記録メディア読取・書込部  ２０…記録メディア  ２１…廃棄物計量ラック  ２２ａ，２２ｂ，２２ｃ…廃棄物リサイクル用バケット  ２３…ローラー  ２４…リサイクル品種データ表  ２５…リサイクル品種番号列  ２６…リサイクル品種列  ２７…ポイント係数列  ２８…計測重量列  ２９…ポイント数列  ３０…操作パネル  ３１…ディスプレイ  ３２…モードボタン  ３３…選択ボタン  ３４…入力ボタン  ３５…クリアボタン  ３６…計測完了ランプ  ３７…テンキー  ３８…起動スイッチ  ３９…カードスロット  ４０ａ〜４０ｄ…モード表示  ４１…リサイクル品種データ確認モード表示  ４２…リサイクル品種ポイント係数データ表  ４３…リサイクル品種入力モード表示  ４４…表示窓  ４５…表示窓  ４６…表示窓  ４７…ひらがな入力キー  ４８…変換キー  ５０…ポイント係数修正モード表示  ５１…重量計数モード表示  ５２…リサイクル品種表示窓  ５３…ポイント係数表示窓  ５４…計測重量表示窓  ５５…ポイント表示窓  ５６…計測重量表示窓  ５７…合計ポイント表示窓  ５８…リサイクル品種表示タッチパネル
【図１】
2011095907.tif 000003
【図２】
2011095907.tif 000004
【図３】
2011095907.tif 000005
【図４】
2011095907.tif 000006
【図５】
2011095907.tif 000007
【図６】
2011095907.tif 000008
【図７】
2011095907.tif 000009
【図８】
2011095907.tif 000010
【図９】
2011095907.tif 000011
【図１０】
2011095907.tif 000012
【図１１】
2011095907.tif 000013
【図１２】
2011095907.tif 000014
【図１３】
2011095907.tif 000015
【図１４】
2011095907.tif 000016